(57)【要約】【課題】軽量であり、かつ、単位セル間を電気的に直列に接続することが容易なセパレータと、このセパレータを使用した軽量、薄型の高分子電解質型燃料電池を提供する。【解決手段】平面型の高分子電解質型燃料電池用のセパレータとして、複数の貫通孔を有する単位導電性基板が空隙部を介して平面的にｎ個（ｎは２以上の整数）配列されたセパレータ部材と、単位導電性基板の配列位置に対応したｎ個の開口を有し上記セパレータ部材を挟持するように一体化された一対の絶縁性枠体と、を備えた燃料供給側セパレータおよび酸素供給側セパレータとし、このらの一方は、ｎ個の単位導電性基板のうち、一方の端部から連続（ｎ−１）個の単位導電性基板が、隣接する単位導電性基板方向に張り出している張出部材を隅部に有し、他方の端部から連続（ｎ−１）個の単位導電性基板が、隣接する単位導電性基板の張出部材との間に空隙部を残すように切欠き部位を隅部に有するものとした。【選択図】  図１
2005100880.tif 000002
【特許請求の範囲】
【請求項１】
単位セルを平面的に配列した平面型の高分子電解質型燃料電池用のセパレータにおいて、
複数の貫通孔を有する単位導電性基板が空隙部を介して平面的にｎ個（ｎは２以上の整数）配列されたセパレータ部材と、前記単位導電性基板の配列位置に対応したｎ個の開口を有し前記セパレータ部材を挟持するように一体化された一対の絶縁性枠体と、を備えた燃料供給側セパレータおよび酸素供給側セパレータからなり、
燃料供給側セパレータおよび酸素供給側セパレータの一方は、前記セパレータ部材を構成するｎ個の単位導電性基板のうち、配列方向の一方の端部の１番目から（ｎ−１）番目までの単位導電性基板が、隣接する単位導電性基板方向に張り出している張出部材を隅部に有し、配列方向の他方の端部の１番目から（ｎ−１）番目までの単位導電性基板が、隣接する単位導電性基板の前記張出部材に対応し、かつ、前記張出部材との間に空隙部が形成される形状の切欠き部位を隅部に有することを特徴とする平面型の高分子電解質型燃料電池用のセパレータ。
【請求項２】
前記張出部材は、単位導電性基板の配列方向と略直交する方向に接続用突出部が突設されていることを特徴とする請求項１に記載の平面型の高分子電解質型燃料電池用のセパレータ。
【請求項３】
燃料供給側セパレータおよび酸素供給側セパレータのうち前記張出部材を備えていないセパレータを構成する一対の絶縁性枠体の一方は、（ｎ−１）個の接続用開口部を各単位導電性基板の配列位置に対応して備え、該接続用開口部には前記単位導電性基板が露出していることを特徴とする請求項１または請求項２に記載の平面型の高分子電解質型燃料電池用のセパレータ。
【請求項４】
一対の前記絶縁性枠体のうち、一方の絶縁性枠体を前記開口が存在しない絶縁性基板としたことを特徴とする請求項１乃至請求項３のいずれかに記載の平面型の高分子電解質型燃料電池用のセパレータ。
【請求項５】
燃料供給側セパレータおよび酸素供給側セパレータのうち前記張出部材を備えているセパレータを構成するセパレータ部材は、ｎ個の単位導電性基板のうち、配列方向の端部に位置し、かつ、前記張出部材を有しておらず、前記切欠き部位を有している単位導電性基板に電極端子を備えていることを特徴とする請求項１乃至請求項４のいずれかに記載の平面型の高分子電解質型燃料電池用のセパレータ。
【請求項６】
前記単位導電性基板は、貫通孔に連通する溝部を一方の面に有することを特徴とする請求項１乃至請求項５のいずれかに記載の平面型の高分子電解質型燃料電池用のセパレータ。
【請求項７】
単位セルを平面的に配列した平面型の高分子電解質型燃料電池において、
ｎ個（ｎは２以上の整数）の燃料電池の膜電極複合体（ＭＥＡ）と、該電極複合体（ＭＥＡ）を介して対向一体化された一組のセパレータとを有し、該セパレータは請求項１乃至請求項６のいずれかに記載の燃料供給側セパレータおよび酸素供給側セパレータであり、前記開口を有する面が対向するとともに、該対向面の開口に前記膜電極複合体（ＭＥＡ）が嵌め込まれてｎ個の単位セルが平面的に配列され、
（ｎ−１）個の各単位セルを構成する一方のセパレータの単位導電性基板の張出部材と、隣接する（ｎ−１）個の各単位セルを構成する他方のセパレータの単位導電性基板とを接続する接続部材を備え、ｎ個の単位セルが電気的に直列に接続されていることを特徴とする平面型の高分子電解質型燃料電池。
【請求項８】
前記接続部材が前記接続用突出部であることを特徴とする請求項７に記載の平面型の高分子電解質型燃料電池。
【請求項９】
一方のセパレータの前記接続用突出部の先端部が、他方のセパレータの外側に位置する前記接続用開口部内に露出している単位導電性基板に接続されていることを特徴とする請求項８に記載の平面型の高分子電解質型燃料電池。
【発明の詳細な説明】
【技術分野】
【０００１】
本発明は、燃料電池に関し、特に、平面型の高分子電解質型燃料電池用のセパレータと、このセパレータを用いた高分子電解質型燃料電池に関する。
【背景技術】
【０００２】
燃料電池は、簡単には、外部より燃料（還元剤）と酸素または空気（酸化剤）を連続的に供給し、電気化学的に反応させて電気エネルギーを取り出す装置で、その作動温度、使用燃料の種類、用途などで分類される。また、最近では、主に使用される電解質の種類によって、大きく、固体酸化物型燃料電池、溶融炭酸塩型燃料電池、りん酸型燃料電池、高分子電解質型燃料電池、アルカリ水溶液型燃料電池の５種類に分類させるのがー般的である。
これらの燃料電池は、メタン等から生成された水素ガスを燃料とするものであるが、最近では、燃料としてメタノール水溶液をダイレクトに用いるダイレクトメタノール型燃料電池（以下、ＤＭＦＣとも言う）も知られている。
なかでも、固体高分子膜を２種類の電極で挟み込み、更に、これらの部材をセパレータで挟んだ構成の固体高分子型燃料電池（以下、ＰＥＦＣとも言う）が注目されている。
【０００３】
このＰＥＦＣにおいては、固体高分子膜の両側に、それぞれ、電極を配置した単位セルを複数個積層し、その起電力を目的に応じて大きくした、スタック構造のものが一般的である。単位セル間に配設されるセパレータは、一般に、そのー方の側面に、隣接するー方の単位セルに燃料ガスを供給するための燃料ガス供給用溝が形成されている。このようなセパレータでは、セパレータ面に沿って、燃料ガス、酸化剤ガスが供給される。
ＰＥＦＣのセパレータとしては、グラファイト板を削り出して溝加工を施したセパレータ、樹脂にカーボンを練り込んだカーボンコンパウンドのモールド性セパレータ、エッチングなどで溝加工を施した金属製セパレータ、金属材料の表面部を耐食性の樹脂で覆ったセパレータ等が知られている。これらのセパレータは、いずれも必要に応じて、燃料ガス供給用溝、及び／または、酸化剤ガス供給用溝が形成されている。
【０００４】
このスタック構造の燃料電池の他に、例えば、携帯端末用の燃料電池等のように、起電力をそれほど必要としないで、平面型で、できるだけ薄い事が要求される場合もある。しかし、平面状に単位セルを複数配列させ、これらを電気的に直列に接続する平面型の場合には、燃料及び酸素の供給が場所により不均一となるという問題もあった。
そこで、この燃料供給の不均一性を改善するために、膜電極複合体（ＭＥＡ）に接しているセパレータの面に対して、垂直方向に多数の貫通孔を形成し、この貫通孔から燃料及び酸素を供給する構造のセパレータが考えられている（特許文献１）。
尚、ここでは、燃料電池の燃料供給側セパレータと酸素供給側のセパレータとの間に位置する電極部を含む複合体、例えば、順に、集電体層、燃料電極、高分子電解質、酸素極、集電体層が積層されてなる膜等のような複合体を、膜電極複合体（ＭＥＡ）と言う。
【特許文献１】特開２００３−２０３６４７号公報
【発明の開示】
【発明が解決しようとする課題】
【０００５】
しかしながら、上記のような構造のセパレータを、例えば、金属材料のみで形成した場合、強度を考慮してセパレータの厚みを厚くする必要があり、燃料電池の軽量化が困難となる。また、金属材料に軽量絶縁材料を接合することにより、強度と軽量化を兼ね備えたセパレータも可能であるが、単位セル間を電気的に直列に接続するための配線形成が困難であったり、工程が複雑であり、また、セパレータの厚みの低減にも限界があった。
本発明は、上記のような実情に鑑みてなされたものであり、軽量であり、かつ、単位セル間を電気的に直列に接続することが容易なセパレータと、このセパレータを使用した軽量、薄型の高分子電解質型燃料電池を提供することを目的とする。
【課題を解決するための手段】
【０００６】
このような目的を達成するために、本発明は、単位セルを平面的に配列した平面型の高分子電解質型燃料電池用のセパレータにおいて、複数の貫通孔を有する単位導電性基板が空隙部を介して平面的にｎ個（ｎは２以上の整数）配列されたセパレータ部材と、前記単位導電性基板の配列位置に対応したｎ個の開口を有し前記セパレータ部材を挟持するように一体化された一対の絶縁性枠体と、を備えた燃料供給側セパレータおよび酸素供給側セパレータからなり、燃料供給側セパレータおよび酸素供給側セパレータの一方は、前記セパレータ部材を構成するｎ個の単位導電性基板のうち、配列方向の一方の端部の１番目から（ｎ−１）番目までの単位導電性基板が、隣接する単位導電性基板方向に張り出している張出部材を隅部に有し、配列方向の他方の端部の１番目から（ｎ−１）番目までの単位導電性基板が、隣接する単位導電性基板の前記張出部材に対応し、かつ、前記張出部材との間に空隙部が形成される形状の切欠き部位を隅部に有するような構成とした。
【０００７】
本発明の他の態様として、前記張出部材は、単位導電性基板の配列方向と略直交する方向に接続用突出部が突設されているような構成とした。
本発明の他の態様として、燃料供給側セパレータおよび酸素供給側セパレータのうち前記張出部材を備えていないセパレータを構成する一対の絶縁性枠体の一方は、（ｎ−１）個の接続用開口部を各単位導電性基板の配列位置に対応して備え、該接続用開口部には前記単位導電性基板が露出しているような構成とした。
本発明の他の態様として、一対の前記絶縁性枠体のうち、一方の絶縁性枠体を前記開口が存在しない絶縁性基板とする構成とした。
【０００８】
本発明の他の態様として、前記張出部材は、単位導電性基板の配列方向と略直交する方向に接続用突出部が突設されているような構成とした。
本発明の他の態様として、燃料供給側セパレータおよび酸素供給側セパレータのうち前記張出部材を備えていないセパレータを構成する絶縁基板は、（ｎ−１）個の接続用開口部を各単位導電性基板の配列位置に対応して備え、該接続用開口部には前記単位導電性基板が露出しているような構成とした。
また、本発明の他の態様として、上記の燃料供給側セパレータおよび酸素供給側セパレータのうち前記張出部材を備えているセパレータを構成するセパレータ部材は、ｎ個の単位導電性基板のうち、配列方向の端部に位置し、かつ、前記張出部材を有しておらず、前記切欠き部位を有している単位導電性基板に電極端子を備えているような構成とした。
さらに、本発明の他の態様として、前記単位導電性基板は、貫通孔に連通する溝部を一方の面に有するような構成とした。
【０００９】
本発明は、単位セルを平面的に配列した平面型の高分子電解質型燃料電池において、ｎ個（ｎは２以上の整数）の燃料電池の膜電極複合体（ＭＥＡ）と、該電極複合体（ＭＥＡ）を介して対向一体化された一組のセパレータとを有し、該セパレータは請求項１乃至請求項７のいずれかに記載の燃料供給側セパレータおよび酸素供給側セパレータであり、前記開口を有する面が対向するとともに、該対向面の開口に前記膜電極複合体（ＭＥＡ）が嵌め込まれてｎ個の単位セルが平面的に配列され、（ｎ−１）個の各単位セルを構成する一方のセパレータの単位導電性基板の張出部材と、隣接する（ｎ−１）個の各単位セルを構成する他方のセパレータの単位導電性基板とを接続する接続部材を備え、ｎ個の単位セルが電気的に直列に接続されているような構成とした。
【００１０】
本発明の他の態様として、前記接続部材が前記接続用突出部であるような構成とした。
本発明の他の態様として、一方のセパレータの前記接続用突出部の先端部が、他方のセパレータの外側に位置する前記接続用開口部内に露出している単位導電性基板に接続されているような構成とした。
【発明の効果】
【００１１】
本発明のセパレータは、複雑な配線形成が不要で、かつ、強度と軽量化を兼ね備えたものであり、燃料電池の膜電極複合体（ＭＥＡ）を介して本発明の燃料供給側セパレータおよび酸素供給側セパレータを対向一体化したときに、１つの単位セルを構成する一方のセパレータの単位導電性基板の張出部材が、隣接する単位セル領域内に張り出して、他方のセパレータの単位導電性基板と膜電極複合体（ＭＥＡ）を介して対向することになり、この対向する張出部材と単位導電性基板とを接続部材により接続することにより、簡便にｎ個の単位セルを電気的に直列に接続することが可能であり、得られた本発明の燃料電池は、軽量で薄型であるという効果が奏される。
【発明を実施するための最良の形態】
【００１２】
以下、本発明の実施の形態について図面を参照して説明する。
［第１の実施形態］
セパレータ
図１は本発明の平面型の高分子電解質型燃料電池用のセパレータの一実施形態を示す斜視図であり、図２は図１に示される一方のセパレータを構成する各部材を離間させた状態を示す斜視図であり、図３は図１に示される他方のセパレータを構成する各部材を離間させた状態を示す斜視図である。図１〜図３において、本発明の平面型の高分子電解質型燃料電池用のセパレータ１１，５１は、燃料供給側セパレータおよび酸素供給側セパレータであり、何れが燃料供給側セパレータ、酸素供給側セパレータであってもよい。ここでは、仮に、セパレータ１１を燃料供給側セパレータ、セパレータ５１を酸素供給側セパレータとして説明を進める。
【００１３】
燃料供給側セパレータ１１は、複数の貫通孔２７を有する長方形状の単位導電性基板２２Ａ，２２Ｂ，２２Ｃが空隙部２６を介して平面的に３個配列されたセパレータ部材２２と、このセパレータ部材２２を挟持するように一体化された一対の絶縁性枠体３２，４２と、を備えたものである。絶縁性枠体３２，４２は、それぞれ単位導電性基板２２Ａ，２２Ｂ，２２Ｃの配列位置に対応した３個の開口３３，４３を有している。そして、各開口３３，４３には、複数の貫通孔２７が形成された単位導電性基板２２Ａ，２２Ｂ，２２Ｃが露出した構造となっている。
【００１４】
また、酸素供給側セパレータ５１も、複数の貫通孔６７を有する長方形状の単位導電性基板６２Ａ，６２Ｂ，６２Ｃが空隙部６６を介して平面的に３個配列されたセパレータ部材６２と、このセパレータ部材６２を挟持するように一体化された一対の絶縁性枠体７２，８２と、を備えたものである。各絶縁性枠体７２，８２は、それそれ単位導電性基板６２Ａ，６２Ｂ，６２Ｃの配列位置に対応した３個の開口７３，８３を有している。そして、各開口７３，８３には、複数の貫通孔６７が形成された単位導電性基板６２Ａ，６２Ｂ，６２Ｃが露出した構造となっている。
【００１５】
上記の燃料供給側セパレータ１１では、セパレータ部材２２を構成する長方形状の３個の単位導電性基板のうち、配列方向の一方の端部（図面左側）の１番目から２番目までの単位導電性基板２２Ｃ，２２Ｂが、隣接する単位導電性基板（２２Ｂ，２２Ａ）方向に張り出している張出部材２４を隅部に有している。また、配列方向の他方の端部（図面右側）の１番目から２番目までの単位導電性基板２２Ａ，２２Ｂが、隣接する単位導電性基板（２２Ｂ，２２Ｃ）の張出部材２５との間に空隙部２６を残すように、かつ、張出部材２５に対応する形状の切欠き部位２５を隅部に有している。
また、酸素供給側セパレータ５１を構成する単位導電性基板６２Ａ，６２Ｂ，６２Ｃは、上記の張出部材２４、切欠き部位２５が形成されていない点を除いて、単位導電性基板２２Ａ，２２Ｂ，２２Ｃと同等の形状であり、同等の大きさの空隙部２６を介して配列されセパレータ部材６２を構成している。
【００１６】
上記の燃料供給側セパレータ１１を構成するセパレータ部材２２は、３個の単位導電性基板２２Ａ，２２Ｂ，２２Ｃのうち、配列方向の端部に位置し、かつ、張出部材２４を有しておらず、切欠き部位２５を有している単位導電性基板２２Ａに電極端子２３を備えている。一方、酸素供給側セパレータ５１を構成するセパレータ部材６２は、３個の単位導電性基板６２Ａ，６２Ｂ，６２Ｃのうち、配列方向の端部に位置する単位導電性基板６２Ｃに電極端子６３を備えている。
セパレータ部材２２を構成する単位導電性基板２２Ａ，２２Ｂ，２２Ｃ、および、セパレータ部材６２を構成する単位導電性基板６２Ａ，６２Ｂ，６２Ｃに使用する導電性の材料としては、電気導電性が良く、所定の強度が得られ、加工性の良いものが好ましく、ステンレス、冷間圧延鋼板、アルミニウム等が挙げられる。
【００１７】
また、単位導電性基板は、少なくとも燃料電池の電解質側となる表面部に耐食性（耐酸性）、電気導電性の樹脂層からなる保護層を備えていてもよい。このような保護層の形成方法としては、樹脂にカーボン粒子、耐食性の金属等の導電材を混ぜた材料を用いて電着により膜を形成し、加熱硬化する方法、あるいは、導電性高分子からなる樹脂に導電性を高めるドーパントを含んだ状態の膜を電解重合により形成する方法等が挙げられる。
また、単位導電性基板の表面に金めっき等のめっき処理を施して、導電性を損なうことなく、耐食性金属層を設けてもよい。さらに、このような耐食性金属層上に、耐酸性かつ電気導電性を有する保護層を配設してもよい。
各単位導電性基板２２Ａ，２２Ｂ，２２Ｃ，６２Ａ，６２Ｂ，６２Ｃは、機械加工、フォトリソグラフィー技術を用いたエッチング加工により、所定の形状に加工したものであり、張出部材２４、切欠き部位２５、燃料供給用ないし酸素供給用の貫通孔２７，６７を、これらの方法により形成したものである。
【００１８】
燃料供給側セパレータ１１を構成する一対の絶縁性枠体３２，４２、および、酸素供給側セパレータ５１を構成する一対の絶縁性枠体７２，８２の材質としては、絶縁性で、加工性が良く、軽く、機械的強度が大きいものが好ましい。このような材料としては、プリント配線基板用の基板材料等が用いられ、例えば、ガラスエポキシ、ポリイミド等が挙げられる。所望の形状を有する絶縁性枠体３２，４２，７２，８２の形成は、機械加工、レーザ加工等により行なうことができる。
燃料供給側セパレータ１１および酸素供給側セパレータ５１は、個別に作製されたセパレータ部材２２と絶縁性枠体３２，４２とを、また、個別に作製されたセパレータ部材６２と絶縁性枠体７２，８２とを、位置合せしながら固着して作製する方法が挙げられる。図４は、燃料供給側セパレータ１１の作製に使用するセパレータ部材２２の一例を示す図である。図４において、セパレータ部材２２は、複数の貫通孔２７を有する３個の単位導電性基板２２Ａ，２２Ｂ，２２Ｃが空隙部２６を介して平面的に配列されるように、各単位導電性基板２２Ａ，２２Ｂ，２２Ｃが外枠体２１に複数のリブ２１ａを介して支持されている。このような部材に絶縁性枠体３２，４２を、位置合せしながら固着し、その後、リブ２１ａを切断して外枠体２１を除去することにより、燃料供給側セパレータ１１を作製することができる。酸素供給側セパレータ５１の作製も同様である。
【００１９】
上記の各部材の固着は、例えば、エポキシ樹脂などの接着剤を塗布し、各部材を重ね合わせた状態で、接着剤を硬化させ固定する方法等がある。この場合に用いられる接着剤は、その製造のプロセスにおいて他の部材に影響を及ぼさず、かつ、燃料電池に使用された際、その動作条件に対する耐性が優れたものであれば、特に限定はされない。
また、絶縁性枠体３２，４２，７２，８２の一部あるいは全部を半硬化状態であるプリプレグにて形成し、セパレータ部材２２，６２に圧着して、固定する方法もある。
上述の本発明のセパレータ（燃料供給側セパレータおよび酸素供給側セパレータ）は、複雑な配線が存在せず、強度と軽量化を兼ね備えたものであり、後述する平面型の高分子電解質型燃料電池に供される場合において、上記の張出部材２４を用いて接続することにより、簡便に複数の単位セルを電気的に直列に接続することが可能である。
【００２０】
尚、図１〜図４に示す燃料供給側セパレータおよび酸素供給側セパレータは、単位導電性基板を３個配列したセパレータであるが、２個、あるいは４個以上の単位導電性基板を備えたものも同様である。
また、燃料供給側セパレータ１１の各単位導電性基板２２Ａ，２２Ｂ，２２Ｃ間に存在する空隙部２６、および、酸素供給側セパレータ５１の各単位導電性基板６２Ａ，６２Ｂ，６２Ｃ間に存在する空隙部６６には、絶縁性材料、例えば、エポキシ樹脂、フッ素系樹脂などの接着剤が充填され存在するものであってもよい。
【００２１】
高分子電解質型燃料電池
次に、上述の燃料供給側セパレータ１１および酸素供給側セパレータ５１を用いた平面型の高分子電解質型燃料電池について説明する。
図５は本発明の平面型の高分子電解質型燃料電池の一例を示す斜視図であり、図６は図５に示される高分子電解質型燃料電池のＩ−Ｉ線における断面図である。図５および図６において、平面型の高分子電解質型燃料電池１は、図１にも示されるように、３個の燃料電池の膜電極複合体（ＭＥＡ）９０を介して燃料供給側セパレータ１１および酸素供給側セパレータ５１を対向一体化したものである。すなわち、燃料供給側セパレータ１１の枠体４２側と、酸素供給側セパレータ５１の枠体７２側とを、膜電極複合体（ＭＥＡ）９０を介して対向させ、かつ、枠体４２の開口４３と枠体７２の開口７３に膜電極複合体（ＭＥＡ）９０が嵌め込まれて３個の単位セル１Ａ，１Ｂ，１Ｃが平面的に配列されたものである。
【００２２】
この高分子電解質型燃料電池１では、燃料供給側セパレータ１１を構成する連続した２個の単位導電性基板２２Ｃ，２２Ｂの隅部から隣接する単位導電性基板２２Ｂ，２２Ａ方向に張り出した張出部材２４，２４が、隣接する単位導電性基板２２Ｂ，２２Ａの隅部の切欠き部位２５，２５に、空隙部２６を残すように位置している。一方、膜電極複合体（ＭＥＡ）９０を介して対向する酸素供給側セパレータ５１では、張出部材２４、切欠き部位２５が形成されていない点を除いて、単位導電性基板２２Ａ，２２Ｂ，２２Ｃと同等の形状の単位導電性基板６２Ａ，６２Ｂ，６２Ｃが、空隙部２６と同等の大きさの空隙部６６を介して配列されてセパレータ部材６２を構成している。したがって、各単位セル１Ａ，１Ｂ，１Ｃでは、それぞれ、単位導電性基板２２Ａと６２Ａ、単位導電性基板２２Ｂと６２Ｂ、単位導電性基板２２Ｃと６２Ｃが、膜電極複合体（ＭＥＡ）９０を介して対向していおり、単位セル１Ｃを構成している単位導電性基板２２Ｃの張出部材２４が、隣接する単位セル１Ｂの領域内に張り出し、また、単位セル１Ｂを構成している単位導電性基板２２Ｂの張出部材２４が、隣接する単位セル１Ａの領域内に張り出している。そして、単位セル１Ｃを構成する燃料供給側セパレータ１１の単位導電性基板２２Ｃの張出部材２４は、隣接する単位セル１Ｂを構成する酸素供給側セパレータ５１の単位導電性基板６２Ｂと接続部材７により接続されている。また、単位セル１Ｂを構成する燃料供給側セパレータ１１の単位導電性基板２２Ｂの張出部材２４は、隣接する単位セル１Ａを構成する酸素供給側セパレータ５１の単位導電性基板６２Ａと接続部材７により接続されている。
【００２３】
これにより、燃料供給側セパレータ１１の電極端子２３→単位セル１Ａ［単位導電性基板２２Ａ／膜電極複合体（ＭＥＡ）９０／単位導電性基板６２Ａ］→接続部材７→単位セル１Ｂ［単位導電性基板２２Ｂ／膜電極複合体（ＭＥＡ）９０／単位導電性基板６２Ｂ］→接続部材７→単位セル１Ｃ［単位導電性基板２２Ｃ／膜電極複合体（ＭＥＡ）９０／単位導電性基板６２Ｃ］→酸素供給側セパレータ５１の電極端子６３、のように３個の単位セル１Ａ，１Ｂ，１Ｃが電気的に直列に接続されたものとなっている。
また、膜電極複合体（ＭＥＡ）９０を挟持している燃料供給側セパレータ１１、酸素供給側セパレータ５１は、各単位セル１Ａ，１Ｂ，１Ｃを絶縁しているだけではなく、同時に、セル内部の燃料、水等が燃料供給面以外からセル外部に出ることを防ぐシール材としての機能も有している。
【００２４】
膜電極複合体（ＭＥＡ）９０を挟持するように燃料供給側セパレータ１１、酸素供給側セパレータ５１を一体化する方法としては、エポキシ樹脂等の絶縁性の接着剤により各部材を接合する方法、燃料供給側セパレータ１１の枠体４２と、酸素供給側セパレータ５１の枠体７２の一部または全部をプリプレグのような半硬化状態の樹脂とし、各部材を重ね合わせてから一括して熱圧着する方法、各部材を重ね合わせ外部から固定部材を用いて機械的に保持する方法等が挙げられる。
また、３個の単位セル１Ａ，１Ｂ，１Ｃを電気的に直列に接続するための接続部材７は、単位導電性基板に使用可能な材料として上記で挙げた材料により形成することができる。また、接続部材７と単位導電性基板（張出部材）との接合は、ボルトナット、ネジ、銀ペーストのような導電性ペースト等を用いて行うことができる。
このような本発明の平面型の高分子電解質型燃料電池１は、複数の単位セルが張出部材を用いて接続部材により電気的に直列に接続された軽量で薄型の高分子電解質型燃料電池である。
【００２５】
［第２の実施形態］
セパレータ
図７は本発明の平面型の高分子電解質型燃料電池用のセパレータの他の実施形態を示す斜視図であり、図８は図７に示される一方のセパレータを構成する各部材を離間させた状態を示す斜視図であり、図９は図７に示される他方のセパレータを構成する各部材を離間させた状態を示す斜視図である。図７〜図９において、本発明の平面型の高分子電解質型燃料電池用のセパレータ１１１，１５１は、燃料供給側セパレータおよび酸素供給側セパレータであり、何れが燃料供給側セパレータ、酸素供給側セパレータであってもよい。ここでは、仮に、セパレータ１１１を燃料供給側セパレータ、セパレータ１５１を酸素供給側セパレータとして説明を進める。
【００２６】
燃料供給側セパレータ１１１は、後述するような接続用突出部（１２８）と、一体化用貫通孔（１２９Ａ，１２９Ｂ，１２９Ｃ，１３４Ａ，１３４Ｂ，１３４Ｃ，１４４Ａ，１４４Ｂ，１４４Ｃ）を備える他は、上述の実施形態の燃料供給側セパレータ１１と同じである。すなわち、複数の貫通孔１２７を有する長方形状の単位導電性基板１２２Ａ，１２２Ｂ，１２２Ｃが空隙部１２６を介して平面的に３個配列されたセパレータ部材１２２と、このセパレータ部材１２２を挟持するように一体化された一対の絶縁性枠体１３２，１４２と、を備えたものである。上記の絶縁性枠体１３２，１４２は、それぞれ単位導電性基板１２２Ａ，１２２Ｂ，１２２Ｃの配列位置に対応した３個の開口１３３，１４３を有している。そして、各開口１３３，１４３には、複数の貫通孔１２７が形成された単位導電性基板１２２Ａ，１２２Ｂ，１２２Ｃが露出した構造となっている。
【００２７】
また、酸素供給側セパレータ１５１は、後述するような一体化用貫通孔（１６９Ａ，１６９Ｂ，１６９Ｃ，１７４Ａ，１７４Ｂ，１７４Ｃ，１８４Ｃ）や接続用開口部（１８５Ａ，１８５Ｂ）を備える他は、上述の実施形態の燃料供給側セパレータ１１と同じである。すなわち、複数の貫通孔１６７を有する長方形状の単位導電性基板１６２Ａ，１６２Ｂ，１６２Ｃが空隙部１６６を介して平面的に３個配列されたセパレータ部材１６２と、このセパレータ部材１６２を挟持するように一体化された一対の絶縁性枠体１７２，１８２と、を備えたものである。絶縁性枠体１７２，１８２は、それぞれ単位導電性基板１６２Ａ，１６２Ｂ，１６２Ｃの配列位置に対応した３個の開口１７３，１８３を有している。そして、各開口１７３，１８３には、複数の貫通孔１６７が形成された単位導電性基板１６２Ａ，１６２Ｂ，１６２Ｃが露出した構造となっている。
【００２８】
上記の燃料供給側セパレータ１１１では、セパレータ部材１２２を構成する長方形状の３個の単位導電性基板のうち、配列方向の一方の端部（図面左側）の１番目から２番目までの単位導電性基板１２２Ｃ，１２２Ｂが、隣接する単位導電性基板（１２２Ｂ，１２２Ａ）方向に張り出している張出部材１２４を隅部に有している。また、配列方向の他方の端部（図面右側）の１番目から２番目までの単位導電性基板１２２Ａ，１２２Ｂが、隣接する単位導電性基板（１２２Ｂ，１２２Ｃ）の張出部材１２４との間に空隙部１２６を残し、かつ、張出部材１２４の形状に対応するような形状の切欠き部位１２５を隅部に有している。
【００２９】
さらに、張出部材１２４は接続用突出部１２８を備えている。この接続用突出部１２８は、３個の単位導電性基板が配列する方向と略直交する方向に、張出部材１２４から突出したアーム部１２８ａと、このアーム部１２８ａの先端に設けられた端子部１２８ｂと、この端子部１２８ｂの中央に設けられた孔部１２８ｃとを備えている。
また、各単位導電性基板１２２Ａ，１２２Ｂ，１２２Ｃには、一体化用貫通孔１２９Ａ，１２９Ｂ，１２９Ｃが設けられている。一体化用貫通孔１２９Ａ，１２９Ｂは、上記の接続用突出部１２８のアーム部１２８ａの軸方向の延長線上に位置している。また、一体化用貫通孔１２９Ｃは、上記の一体化用貫通孔１２９Ａ，１２９Ｂと同じ配列方向、ピッチとなるように単位導電性基板１２２Ｃに形成されている。
【００３０】
また、酸素供給側セパレータ１５１を構成する単位導電性基板１６２Ａ，１６２Ｂ，１６２Ｃは、上記の張出部材１２４、切欠き部位１２５、接続用突出部１２８が形成されていない点を除いて、単位導電性基板１２２Ａ，１２２Ｂ，１２２Ｃと同等の形状であり、同等の大きさの空隙部１２６を介して配列されセパレータ部材１６２を構成している。また、単位導電性基板１６２Ａ，１６２Ｂ，１６２Ｃにも、一体化用貫通孔１２９Ａ，１２９Ｂ，１２９Ｃに対応する位置に、一体化用貫通孔１６９Ａ，１６９Ｂ，１６９Ｃが設けられている。
また、燃料供給側セパレータ１１１を構成するセパレータ部材１２２は、３個の単位導電性基板１２２Ａ，１２２Ｂ，１２２Ｃのうち、配列方向の端部に位置し、かつ、張出部材１２４を有しておらず、切欠き部位１２５を有している単位導電性基板１２２Ａに電極端子１２３を備えている。一方、酸素供給側セパレータ１５１を構成するセパレータ部材１６２は、３個の単位導電性基板１６２Ａ，１６２Ｂ，１６２Ｃのうち、配列方向の端部に位置する単位導電性基板１６２Ｃに電極端子１６３を備えている。
【００３１】
燃料供給側セパレータ１１１を構成する一対の絶縁性枠体１３２，１４２は、上述のように開口１３３，１４３を備えるとともに、一体化用貫通孔１３４Ａ，１３４Ｂ，１３４Ｃ、一体化用貫通孔１４４Ａ，１４４Ｂ，１４４Ｃを、セパレータ部材１２２の一体化用貫通孔１２９Ａ，１２９Ｂ，１２９Ｃに対応する位置に備えている。
また、酸素供給側セパレータ１５１を構成する絶縁性枠体１７２は、上述のように開口１７３を備えるとともに、一体化用貫通孔１７４Ａ，１７４Ｂ，１７４Ｃを、セパレータ部材１６２の一体化用貫通孔１６９Ａ，１６９Ｂ，１６９Ｃに対応する位置に備えている。さらに、酸素供給側セパレータ１５１を構成する絶縁性枠体１８２は、上述のように開口１８３を備えるとともに、接続用開口部１８５Ａ，１８５Ｂと一体化用貫通孔１８４Ｃ、を、セパレータ部材１６２の一体化用貫通孔１６９Ａ，１６９Ｂ，１６９Ｃに対応する位置に備えている。上記の接続用開口部１８５Ａ，１８５Ｂは、上述の接続用突出部１２８の端子部１２８ｂに対応した形状となっている。
【００３２】
セパレータ部材１２２，１６２を構成する単位導電性基板１２２Ａ，１２２Ｂ，１２２Ｃ，１６２Ａ，１６２Ｂ，１６２Ｃに使用する導電性の材料としては、上述の実施形態で記載した材料を挙げることができる。また、単位導電性基板は、少なくとも燃料電池の電解質側となる表面部に耐食性（耐酸性）、電気導電性の樹脂層からなる保護層を備えていてもよく、このような保護層は、上述の実施形態と同様の方法で形成することができる。
また、各単位導電性基板１２２Ａ，１２２Ｂ，１２２Ｃ，１６２Ａ，１６２Ｂ，１６２Ｃは、上述の実施形態で挙げた加工方法により加工したものである。
燃料供給側セパレータ１１１を構成する一対の絶縁性枠体１３２，１４２、および、酸素供給側セパレータ１５１を構成する一対の絶縁性枠体１７２，１８２の材質としては、上述の実施形態で絶縁性枠体用として挙げたものを使用することができ、同様の加工方法を用いて加工したものである。
【００３３】
個別に作製されたセパレータ部材１２２と絶縁性枠体１３２，１４２とから燃料供給側セパレータ１１１を作製する方法、個別に作製されたセパレータ部材１６２と絶縁性枠体１７２，１８２とから酸素供給側セパレータ１５１を作製する方法は、上述の実施形態と同様とすることができる。また、セパレータ部材を、図４に示されるようなリブを介して外枠体に支持されたものとして、セパレータの作製に供することができる。
上述の本発明のセパレータ（燃料供給側セパレータ１１１および酸素供給側セパレータ１５１）は、複雑な配線が存在せず、強度と軽量化を兼ね備えたものであり、後述する平面型の高分子電解質型燃料電池に供される場合において、上記の張出部材１２４と接続用突出部１２８を用いて接続することにより、簡便に複数の単位セルを電気的に直列に接続することが可能である。
【００３４】
また、燃料供給側セパレータ１１１では、セパレータ部材１２２の一体化用貫通孔１２９Ａ，１２９Ｂ，１２９Ｃと、絶縁性枠体１３２の一体化用貫通孔１３４Ａ，１３４Ｂ，１３４Ｃと、絶縁性枠体１４２の一体化用貫通孔１４４Ａ、１４４Ｂ，１４４Ｃが、それぞれ同軸上に位置している。また、酸素供給側セパレータ１５１では、セパレータ部材１６２の一体化用貫通孔１６９Ａ，１６９Ｂ，１６９Ｃと、絶縁性枠体１７２の一体化用貫通孔１７４Ａ，１７４Ｂ，１７４Ｃと、絶縁性枠体１８２の接続用開口部１８５Ａ，１８５Ｂ、一体化用貫通孔１８４Ｃが、それぞれ同軸上に位置している。そして、絶縁性枠体１８２の接続用開口部１８５Ａ，１８５Ｂ内には、単位導電性基板１６２Ａ，１６２Ｂが、一体化用貫通孔１６９Ａ，１６９Ｂとともに露出している。
【００３５】
尚、図７〜図９に示す燃料供給側セパレータおよび酸素供給側セパレータは、単位導電性基板を３個配列したセパレータであるが、２個、あるいは４個以上の単位導電性基板を備えたものも同様である。
また、燃料供給側セパレータ１１１の各単位導電性基板１２２Ａ，１２２Ｂ，１２２Ｃ間に存在する空隙部１２６、および、酸素供給側セパレータ１５１の各単位導電性基板１６２Ａ，１６２Ｂ，１６２Ｃ間に存在する空隙部１６６には、絶縁性材料、例えば、エポキシ樹脂、フッ素系樹脂などの接着剤が充填され存在するものであってもよい。
【００３６】
高分子電解質型燃料電池
次に、上述の燃料供給側セパレータ１１１および酸素供給側セパレータ１５１を用いた平面型の高分子電解質型燃料電池について説明する。
図１０は本発明の平面型の高分子電解質型燃料電池の他の例を示す斜視図である。図１０において、平面型の高分子電解質型燃料電池１０１は、図７にも示されるように、３個の燃料電池の膜電極複合体（ＭＥＡ）１９０を介して燃料供給側セパレータ１１１および酸素供給側セパレータ１５１を対向一体化したものである。すなわち、燃料供給側セパレータ１１１の枠体１４２側と、酸素供給側セパレータ１５１の枠体１７２側とを、膜電極複合体（ＭＥＡ）１９０を介して対向させ、かつ、枠体１４２の開口１４３と枠体１７２の開口１７３に膜電極複合体（ＭＥＡ）１９０が嵌め込まれて３個の単位セル１０１Ａ，１０１Ｂ，１０１Ｃが平面的に配列されたものである。
【００３７】
この高分子電解質型燃料電池１０１では、燃料供給側セパレータ１１１を構成する連続した２個の単位導電性基板１２２Ｃ，１２２Ｂの隅部から隣接する単位導電性基板１２２Ｂ，１２２Ａ方向に張り出した張出部材１２４，１２４が、隣接する単位導電性基板１２２Ｂ，１２２Ａの隅部の切欠き部位１２５，１２５に、空隙部１２６を残すように位置している。一方、膜電極複合体（ＭＥＡ）１９０を介して対向する酸素供給側セパレータ１５１では、張出部材１２４、切欠き部位１２５が形成されていない点を除いて、単位導電性基板１２２Ａ，１２２Ｂ，１２２Ｃと同等の形状の単位導電性基板１６２Ａ，１６２Ｂ，１６２Ｃが、空隙部１２６と同等の大きさの空隙部１６６を介して配列されてセパレータ部材１６２を構成している。したがって、各単位セル１０１Ａ，１０１Ｂ，１０１Ｃでは、それぞれ、単位導電性基板１２２Ａと１６２Ａ、単位導電性基板１２２Ｂと１６２Ｂ、単位導電性基板１２２Ｃと１６２Ｃが、膜電極複合体（ＭＥＡ）１９０を介して対向している。また、単位セル１０１Ｃを構成している単位導電性基板１２２Ｃの張出部材１２４が、隣接する単位セル１０１Ｂの領域内に張り出し、単位セル１０１Ｂを構成している単位導電性基板１２２Ｂの張出部材１２４が、隣接する単位セル１０１Ａの領域内に張り出している。
【００３８】
そして、単位セル１０１Ｃを構成する燃料供給側セパレータ１１１の単位導電性基板１２２Ｃの張出部材１２４は、接続用突出部１２８のアーム部１２８ａが酸素供給側セパレータ１５１方向に折り曲げられて、先端の端子部１２８ｂが、酸素供給側セパレータ１５１を構成する絶縁性枠体１８２の接続用開口部１８５Ｂに挿入され、単位セル１０１Ｂを構成する酸素供給側セパレータ１５１の単位導電性基板１６２Ｂに接続されている。また、単位セル１０１Ｂを構成する燃料供給側セパレータ１１１の単位導電性基板１２２Ｂの張出部材１２４は、接続用突出部１２８のアーム部１２８ａが酸素供給側セパレータ１５１方向に折り曲げられて、先端の端子部１２８ｂが、酸素供給側セパレータ１５１を構成する絶縁性枠体１８２の接続用開口部１８５Ａに挿入され、単位セル１０１Ａを構成する酸素供給側セパレータ１５１の単位導電性基板１６２Ａに接続されている。
【００３９】
これにより、燃料供給側セパレータ１１１の電極端子１２３→単位セル１０１Ａ［単位導電性基板１２２Ａ／膜電極複合体（ＭＥＡ）１９０／単位導電性基板１６２Ａ］→接続用突出部１２８→単位セル１０１Ｂ［単位導電性基板１２２Ｂ／膜電極複合体（ＭＥＡ）１９０／単位導電性基板１６２Ｂ］→接続用突出部１２８→単位セル１０１Ｃ［単位導電性基板１２２Ｃ／膜電極複合体（ＭＥＡ）１９０／単位導電性基板１６２Ｃ］→酸素供給側セパレータ１５１の電極端子１６３、のように３個の単位セル１０１Ａ，１０１Ｂ，１０１Ｃが電気的に直列に接続されたものとなっている。
【００４０】
この高分子電解質型燃料電池１０１では、燃料供給側セパレータ１１１が有する３個の一体化貫通孔と、酸素供給側セパレータ１５１が有する３個の一体化貫通孔（内２個は一体化用貫通孔と接続用開口部とからなる）とが、それぞれ同軸上に位置している。したがって、例えば、図示しない絶縁性のボルトを、酸素供給側セパレータ１５１の接続用開口部１８５Ａ，１８５Ｂ内に挿入されている接続用突出部１２８の端子部１２８ｂの孔部１２８ｃから差し込み、燃料供給側セパレータ１１１側の一体化用貫通孔１３４Ａ，１３４Ｂから突き出した先端部に絶縁性のナットを螺合することができる。また、図示しない絶縁性のボルトを、酸素供給側セパレータ１５１の一体化用貫通孔１８４Ｃから差し込み、燃料供給側セパレータ１１１側の一体化用貫通孔１３４Ｃから突き出した先端部に絶縁性のナットを螺合することできる。これにより３個の単位セル１０１Ａ，１０１Ｂ，１０１Ｃの電気的直列接続と、膜電極複合体（ＭＥＡ）１９０を挟持した燃料供給側セパレータ１１１、酸素供給側セパレータ１５１の一体化が同時に可能となる。
【００４１】
尚、上記の絶縁性のボルト・ナットは、例えば、ポリテトラフルオロエチレン、各種プラスチック、金属製ボルトに絶縁物を被覆したもの、等を用いて作製したものを使用することができる。
また、膜電極複合体（ＭＥＡ）１９０を挟持している燃料供給側セパレータ１１１、酸素供給側セパレータ１５１は、各単位セル１０１Ａ，１０１Ｂ，１０１Ｃを絶縁しているだけではなく、同時に、セル内部の燃料、水等が燃料供給面以外からセル外部に出ることを防ぐシール材としての機能も有している。
膜電極複合体（ＭＥＡ）１９０を挟持するように燃料供給側セパレータ１１１、酸素供給側セパレータ１５１を一体化する方法としては、上述の高分子電解質型燃料電池の実施形態で説明したような方法を用いることができる。また、上記の一体化用貫通孔の加えて、複数の一体化用貫通孔を設け、これらを用いて一体化してもよい。この場合においても、エポキシ樹脂、フッ素系樹脂等の絶縁性の接着剤を使用してもよい。
【００４２】
このような本発明の平面型の高分子電解質型燃料電池１は、複数の単位セルが張出部材と接続用突出部により電気的に直列に接続された軽量で薄型の高分子電解質型燃料電池である。
上述の本発明の高分子電解質型燃料電池用のセパレータ、平面型の高分子電解質型燃料電池の実施形態は例示であり、これらに限定されるものではない。
【００４３】
例えば、セパレータを構成する単位導電性基板が、貫通孔に連通する溝部を一方の面に有するような構造であってもよい。図１１は、上述のセパレータ部材２２を例として、溝部を説明するための図であり、図１２は図１１に示されるセパレータ部材のII−II線における断面図である。図１１および図１２に示されるように、セパレータ部材２２は、複数の貫通孔２７を有する長方形状の単位導電性基板２２Ａ，２２Ｂ，２２Ｃが空隙部２６を介して平面的に３個配列されている。そして、各単位導電性基板２２Ａ，２２Ｂ，２２Ｃの一方の面には、貫通孔２７に対して直交するように溝部２８が形成されている。この溝部２８は、例えば、ハーフエッチングにて形成されたものである。この場合、燃料ないし酸素の供給は、単位導電性基板２２Ａ，２２Ｂ，２２Ｃの配列方向に直交する方向から、すなわち燃料供給溝ないし酸素供給溝２８ａから供給が行われる。
【００４４】
また、上述の本発明の平面型の高分子電解質型燃料電池用のセパレータでは、単位導電性基板を挟持するように一体化された一対の絶縁性枠体は、単位導電性基板の個数に対応した数の開口を備えるものであるが、本発明では、開口を有していない絶縁性基板を一方の絶縁性枠体の代わりに使用することもできる。図１３は、このような絶縁性基板を使用したセパレータを説明するための、上述のセパレータ１１を例とした図２相当の図面である。図１３に示されるように、複数の貫通孔２７を有する長方形状の単位導電性基板２２Ａ，２２Ｂ，２２Ｃが空隙部２６を介して平面的に３個配列されたセパレータ部材２２を、絶縁性基板３１と、単位導電性基板２２Ａ，２２Ｂ，２２Ｃの配列位置に対応した３個の開口４３を有する絶縁性枠体４２とで挟持するように一体化してセパレータを作製することができる。このセパレータでは、絶縁性枠体４２の各開口４３に、複数の貫通孔２７が形成された単位導電性基板２２Ａ，２２Ｂ，２２Ｃが露出した構造となっている。
【００４５】
そして、このようなセパレータを用いて平面型の高分子電解質型燃料電池を作製する場合、絶縁性枠体４２の開口４３に膜電極複合体（ＭＥＡ）９０を嵌め込むように一体化し、絶縁性基板３１には、燃料供給用ないし酸素供給用の開口を形成する加工がなされる。セパレータを上記の絶縁性基板３１を使用したセパレータとすることにより、燃料供給用ないし酸素供給用の開口を形成するまでの高分子電解質型燃料電池の作製工程のおいて、異物混入等が防止され、取り扱いが容易なものとなる。上記の絶縁性基板３１は、上述の絶縁性枠体３２，４２と同様の材料からなる板材を使用することができる。
上述のような絶縁性基板は、開口を設けない他は絶縁性枠体と同様とすることができ、特に制限はなく、例えば、上記の実施形態ような一体化用貫通孔を形成してもよい。
【産業上の利用可能性】
【００４６】
本発明のセパレータは平面型の高分子電解質型燃料電池に使用することができ、本発明の平面型の高分子電解質型燃料電池は、軽量で薄型のダイレクトメタノール型燃料電池を実現できる。
【図面の簡単な説明】
【００４７】
【図１】本発明の平面型の高分子電解質型燃料電池用のセパレータの一実施形態を示す斜視図である。
【図２】図１に示される一方のセパレータを構成する各部材を離間させた状態を示す斜視図である。
【図３】図１に示される他方のセパレータを構成する各部材を離間させた状態を示す斜視図である。
【図４】セパレータの作製に使用するセパレータ部材の一例を示す図である。
【図５】本発明の平面型の高分子電解質型燃料電池の一例を示す斜視図である。
【図６】図５に示される高分子電解質型燃料電池のＩ−Ｉ線における断面図である。
【図７】本発明の平面型の高分子電解質型燃料電池用のセパレータの他の実施形態を示す斜視図である。
【図８】図７に示される一方のセパレータを構成する各部材を離間させた状態を示す斜視図である。
【図９】図７に示される他方のセパレータを構成する各部材を離間させた状態を示す斜視図である。
【図１０】本発明の平面型の高分子電解質型燃料電池の他の例を示す斜視図である。
【図１１】単位導電性基板に溝部を有するセパレータ部材の例を説明するための図である。
【図１２】図１１に示されるセパレータ部材のII−II線における断面図である。
【図１３】絶縁性基板を使用したセパレータを説明するための図２相当の図面である。
【符号の説明】
【００４８】
１…高分子電解質型燃料電池
１Ａ，１Ｂ，１Ｃ…単位セル
７…接続部材
１１，５１…セパレータ
２２，６２…セパレータ部材
２２Ａ，２２Ｂ，２２Ｃ，６２Ａ，６２Ｂ，６２Ｃ…単位導電性基板
２３，６３…電極端子
２４…張出部材
２５…切欠き部位
２６，６６…空隙部
２７，６７…貫通孔
２８…溝部
３１…絶縁性基板
３２，４２，７２，８２…絶縁性枠体
３３，４３，７３，８３…開口
９０…膜電極複合体（ＭＥＡ）
１０１…高分子電解質型燃料電池
１０１Ａ，１０１Ｂ，１０１Ｃ…単位セル
１１１，１５１…セパレータ
１２２，１６２…セパレータ部材
１２２Ａ，１２２Ｂ，１２２Ｃ，１６２Ａ，１６２Ｂ，１６２Ｃ…単位導電性基板
１２３，１６３…電極端子
１２４…張出部材
１２５…切欠き部位
１２６，１６６…空隙部
１２７，１６７…貫通孔
１２８…接続用突出部
１２８ａ…アーム部
１２８ｂ…端子部
１２８ｃ…孔部
１２９Ａ，１２９Ｂ，１２９Ｃ，１６９Ａ，１６９Ｂ，１６９Ｃ…一体化用貫通孔
１３２，１４２，１７２，１８２…絶縁性枠体
１３３，１４３，１７３，１８３…開口
１３４Ａ，１３４Ｂ，１３４Ｃ，１４４Ａ，１４４Ｂ，１４４Ｃ，１７４Ａ，１７４Ｂ，１７４Ｃ，１８４Ｃ…一体化用貫通孔
１８５Ａ，１８５Ｂ…接続用開口部
１９０…膜電極複合体（ＭＥＡ）
【図１】
2005100880.tif 000003
【図２】
2005100880.tif 000004
【図３】
2005100880.tif 000005
【図４】
2005100880.tif 000006
【図５】
2005100880.tif 000007
【図６】
2005100880.tif 000008
【図７】
2005100880.tif 000009
【図８】
2005100880.tif 000010
【図９】
2005100880.tif 000011
【図１０】
2005100880.tif 000012
【図１１】
2005100880.tif 000013
【図１２】
2005100880.tif 000014
【図１３】
2005100880.tif 000015